(57)【要約】【課題】設置スペースを小さくすることが可能であるとともに、操作性を向上させることの可能なキュービクルのモニタ装置を提供する。【解決手段】キュービクルのモニタ装置１５は、キュービクルに関連する複数の情報を表示領域Ａ１１，Ａ１２に分割してそれぞれ表示することが可能であるとともにタッチ操作の可能なタッチパネル１５３と、タッチパネル１５３を制御する制御部と、を備える。制御部は、表示領域Ａ１１，Ａ１２のうちの所定の表示領域に対してタッチ操作が行われた場合、所定の表示領域に表示されている情報のみを切り替える。【選択図】図３
2019201466.tif 000002
【特許請求の範囲】
【請求項１】
キュービクルに関連する複数の情報を複数の表示領域に分割してそれぞれ表示することが可能であるとともに、タッチ操作の可能なタッチパネルと、
前記タッチパネルを制御する制御部と、を備え、
前記制御部は、複数の前記表示領域のうちの所定の表示領域に対してタッチ操作が行われた場合、前記所定の表示領域に表示されている情報のみを切り替える
キュービクルのモニタ装置。
【請求項２】
前記所定の表示領域に表示されている情報を切り替えるためのタッチ操作は、前記所定の表示領域に対するフリック操作である
請求項１に記載のキュービクルのモニタ装置。
【請求項３】
複数の前記表示領域は、前記タッチパネルにおいて所定方向に並べて配置され、
前記制御部は、
前記所定の表示領域に対して前記所定方向にフリック操作が行われた場合には、前記所定の表示領域に表示されている情報を第１態様で切り替え、
前記所定の表示領域に対して前記所定方向と直交する方向にフリック操作が行われた場合には、前記所定の表示領域に表示されている情報を、前記第１態様とは異なる第２態様で切り替える
請求項２に記載のキュービクルのモニタ装置。
【請求項４】
前記キュービクルに関連する複数の情報には、前記キュービクルに設けられる複数の変圧器に対応する複数の電力系統のそれぞれで計測される複数の計測情報が含まれ、
前記制御部は、前記第１態様での表示情報の切り替えとして、前記所定の表示領域に表示されている所定の電力系統の計測情報を前記所定の電力系統の別の計測情報に切り替える
請求項３に記載のキュービクルのモニタ装置。
【請求項５】
前記キュービクルに関連する複数の情報には、前記キュービクルに設けられる複数の変圧器に対応する複数の電力系統のそれぞれで計測される複数の計測情報が含まれ、
前記制御部は、前記第２態様での表示情報の切り替えとして、前記所定の表示領域に表示されている所定の電力系統の計測情報を、前記所定の電力系統とは別の電力系統の計測情報に切り替える
請求項３又は４に記載のキュービクルのモニタ装置。
【発明の詳細な説明】
【技術分野】
【０００１】
本開示は、キュービクルのモニタ装置に関する。
【背景技術】
【０００２】
従来、特許文献１に記載のキュービクル式高圧受電設備がある。特許文献１に記載のキュービクルは、変圧器、電力用コンデンサ、高圧負荷開閉器、及び複数のメータパネル等を有している。複数のメータパネルは、変圧器の前面に設けられた計器取付板に取り付けられている。
【先行技術文献】
【特許文献】
【０００３】
【特許文献１】特開２００６−１４５００号公報
【発明の概要】
【発明が解決しようとする課題】
【０００４】
ところで、このようなキュービクルでは、近年、その状態を点検者がより的確に認知することができるように、キュービクルに取り付けられるメータパネルの数が増加傾向にある。しかしながら、計器取付板のスペース的な制約により、計器取付板に取り付け可能なメータパネルの数には限界があるため、メータパネルの数を増やすことが困難となっている。
【０００５】
本開示は、こうした実情に鑑みてなされたものであり、その目的は、設置スペースを小さくすることが可能であるとともに、操作性を向上させることの可能なキュービクルのモニタ装置を提供することにある。
【課題を解決するための手段】
【０００６】
上記課題を解決するキュービクルのモニタ装置は、キュービクルに関連する複数の情報を複数の表示領域に分割してそれぞれ表示することが可能であるとともにタッチ操作の可能なタッチパネルと、タッチパネルを制御する制御部と、を備える。制御部は、複数の表示領域のうちの所定の表示領域に対してタッチ操作が行われた場合、所定の表示領域に表示されている情報のみを切り替える。
【０００７】
この構成によれば、キュービクルに関連する複数の情報をタッチパネルに表示することができるため、各情報を表示するためのメータパネルを個別に計器取付板に設ける場合と比較すると、計器取付板における設置スペースを小さくすることができる。また、タッチパネルの複数の表示領域に、キュービクルに関連する複数の情報が分割して表示されるとともに、その表示領域に表示されている情報をタッチ操作により切り替えることができる。その際、所定の表示領域に対して点検者がタッチ操作を行った場合には、その所定の表示領域に表示されている情報のみが切り替わり、それとは別の表示領域に表示されている情報は切り替わることがない。これにより、点検者は、キュービクルに関連する複数の情報のうち、自身の望む任意の複数の情報をタッチパネルに選択的に表示させることができる。したがって、操作性を向上させることができる。
【０００８】
上記のキュービクルのモニタ装置において、所定の表示領域に表示されている情報を切り替えるためのタッチ操作は、所定の表示領域に対するフリック操作であることが好ましい。
この構成によれば、タッチパネルの所定の表示領域に対するフリック操作という最小限の操作で所定の表示領域に表示されている情報を変更することができるため、利便性を向上させることができる。
【０００９】
上記のキュービクルのモニタ装置において、複数の表示領域は、タッチパネルにおいて所定方向に並べて配置され、制御部は、所定の表示領域に対して所定方向にフリック操作が行われた場合には、所定の表示領域に表示されている情報を第１態様で切り替え、所定の表示領域に対して所定方向と直交する方向にフリック操作が行われた場合には、所定の表示領域に表示されている情報を、第１態様とは異なる第２態様で切り替えることが好ましい。
【００１０】
この構成によれば、所定の表示領域に対する所定方向へのフリック操作、及び所定方向と直交する方向へのフリック操作を点検者が選択的に実行することにより、所定の表示領域に表示されている情報を異なる態様で切り替えることができるため、利便性を向上させることができる。
【００１１】
上記のキュービクルのモニタ装置において、キュービクルに関連する複数の情報には、キュービクルに設けられる複数の変圧器に対応する複数の電力系統のそれぞれで計測される複数の計測情報が含まれ、制御部は、第１態様での表示情報の切り替えとして、所定の表示領域に表示されている所定の電力系統の計測情報を所定の電力系統の別の計測情報に切り替えることが好ましい。
【００１２】
この構成によれば、所定の電力系統で計測される複数の計測情報の切り替えが容易となる。
上記のキュービクルのモニタ装置において、キュービクルに関連する複数の情報には、キュービクルに設けられる複数の変圧器に対応する複数の電力系統のそれぞれで計測される複数の計測情報が含まれ、制御部は、第２態様での表示情報の切り替えとして、所定の表示領域に表示されている所定の電力系統の計測情報を、所定の電力系統とは別の電力系統の計測情報に切り替えることが好ましい。
【００１３】
この構成によれば、所定の表示領域に表示されている電力系統の切り替えが容易となる。
【発明の効果】
【００１４】
本開示によれば、設置スペースを小さくすることが可能であるとともに、操作性を向上させることの可能なキュービクルのモニタ装置を提供できる。
【図面の簡単な説明】
【００１５】
【図１】図１は、実施形態のキュービクルの正面構造を示す正面図である。
【図２】図２は、実施形態のキュービクルの電気的な構成を示すブロック図である。
【図３】図３は、実施形態のモニタ装置の正面構造を示す正面図である。
【図４】図４は、実施形態のモニタ装置に表示される情報の一例を示す正面図である。
【図５】図５は、実施形態の制御部により実行される処理の手順を示すフローチャートである。
【図６】図６は、実施形態のモニタ装置に表示される情報の一例を示す正面図である。
【図７】図７は、実施形態のモニタ装置に表示される情報の一例を示す正面図である。
【図８】図８は、実施形態のモニタ装置に表示される情報の一例を示す正面図である。
【図９】図９は、参考例のメータパネルの配置例を示す正面図である。
【図１０】図１０は、実施形態のモニタ装置の配置例を示す正面図である。
【発明を実施するための形態】
【００１６】
以下、キュービクルのモニタ装置の一実施形態について図面を参照しながら説明する。説明の理解を容易にするため、各図面において同一の構成要素に対しては可能な限り同一の符号を付して、重複する説明は省略する。
はじめに、図１に示される本実施形態のキュービクル１０の概要について説明する。図１に示されるキュービクル１０は、キュービクル式高圧受電設備であって、電力会社等から供給される高圧の商用電力を、需要家の負荷設備の仕様に適合した電圧や周波数を有する電力に変換するための機器一式を金属製の外箱に収めた設備である。図１に示されるように、キュービクル１０は、直方体状に形成された箱体２１を備えている。箱体２１には、計器用変圧変流器（ＶＣＴ：Voltage Current Transformer）１１と、変圧器１２ａと、電力用ヒューズ１３付きの高圧負荷開閉器１４と、モニタ装置１５と、電力計１６と、配線用遮断器１７ａとが設置されている。モニタ装置１５は、箱体２１の前面に設けられた板状の計器取付板２３に取り付けられている。計器取付板２３には、モニタ装置１５の他、キュービクル１０に用いられる各種機器が取り付け可能となっている。
【００１７】
図２に示されるように、変圧器１２ａは、高圧母線からなる一次側電路Ｗ１１から供給される高圧の交流電力を、負荷に供給可能な交流電力に変換する。変圧器１２ａにより変換された交流電力は、二次側電路Ｗ１２ａを通じて負荷に供給される。変圧器１２ａは、一次側電路Ｗ１１から供給される高圧の交流電力を低圧の単相交流電力に変換する電灯変圧器や、高圧の交流電力を低圧の三相交流電力に変換する動力変圧器等からなる。なお、本実施形態では、変圧器１２ａは電灯変圧器からなる。以下では、変圧器１２ａに対応する電力系統を「第１電力系統」とも称する。
【００１８】
計器用変圧変流器１１は、一次側電路Ｗ１１の途中に配置されている。計器用変圧変流器１１は、一次側電路Ｗ１１の高電圧及び大電流を、電力計１６により計測可能な低電圧及び小電流に変換する。
電力計１６は、計器用変圧変流器１１により変換された電圧及び電流に基づいて、一次側電路Ｗ１１を通じて変圧器１２ａに供給される電力、すなわち使用電力等を計測するとともに、計測した使用電力等を表示する。
【００１９】
高圧負荷開閉器１４は、一次側電路Ｗ１１の途中に設けられている。高圧負荷開閉器１４は、変圧器１２ａの一次側電路Ｗ１１を開閉するための機器である。
配線用遮断器１７ａは、二次側電路Ｗ１２ａの途中に設けられている。配線用遮断器１７ａは、変圧器１２ａの二次側電路Ｗ１２ａを開閉するための機器である。
【００２０】
一次側電路Ｗ１１には、変圧器１２ａに対して電気的に並列に変圧器１２ｂが接続されている。変圧器１２ｂは、一次側電路Ｗ１１から供給される高圧の交流電力を、負荷に供給可能な交流電力に変換するとともに、変換された交流電力を、二次側電路Ｗ１２ｂを通じて負荷に供給する。変圧器１２ｂも、変圧器１２ａと同様に、電灯変圧器や動力変圧器等からなる。なお、本実施形態では、変圧器１２ｂは電灯変圧器からなる。二次側電路Ｗ１２ｂにも、配線用遮断器１７ｂが設けられている。なお、図１では、変圧器１２ｂや配線用遮断器１７ｂ等の図示が省略されている。以下では、変圧器１２ｂに対応する電力系統を「第２電力系統」とも称する。
【００２１】
モニタ装置１５は、キュービクル１０に関する各種情報を表示するための装置である。詳しくは、モニタ装置１５は、計測部１５０と、制御部１５１と、温度センサ１５２と、タッチパネル１５３とを備えている。
計測部１５０には、計器用変流器１８ａ，１８ｂ及び計器用変圧器１９ａ，１９ｂから出力される電気信号が入力されている。計器用変流器１８ａ，１８ｂ及び計器用変圧器１９ａ，１９ｂは、二次側電路Ｗ１２ａ，Ｗ１２ｂにそれぞれ設けられている。計器用変流器１８ａ，１８ｂは、二次側電路Ｗ１２ａ，Ｗ１２ｂをそれぞれ流れる大電流を、モニタ装置１５により計測可能な小電流に変換する。計器用変圧器１９ａ，１９ｂは、二次側電路Ｗ１２ａ，Ｗ１２ｂにそれぞれ供給されている高電圧を、モニタ装置１５により計測可能な低電圧に変換する。
【００２２】
計測部１５０は、計器用変流器１８ａ，１８ｂのそれぞれの電気信号に基づいて二次側電路Ｗ１２ａ，Ｗ１２ｂのそれぞれのＸ相電流、Ｎ相電流、及びＹ相電流を計測する。なお、Ｘ相及びＹ相は電圧線であり、Ｎ相は中性線である。また、計測部１５０は、計器用変圧器１９ａ，１９ｂのそれぞれの電気信号に基づいて二次側電路Ｗ１２ａ，Ｗ１２ｂのそれぞれのＸ相−Ｎ相間電圧、Ｎ相−Ｙ相間電圧、及びＸ相−Ｙ相間電圧を計測する。計測部１５０は、これらの計測情報を制御部１５１に送信する。
【００２３】
温度センサ１５２は、モニタ装置１５の周辺の温度を検出するとともに、検出された温度に応じた信号を制御部１５１に出力する。
タッチパネル１５３は、キュービクル１０の各種状態量を表示する表示部として機能するとともに、タッチ操作を行うことの可能な操作部として機能する。なお、タッチ操作には、タップ操作やフリック操作、スワイプ操作等、タッチパネル１５３において実行可能な各種操作が含まれる。
【００２４】
制御部１５１は、二次側電路Ｗ１２ａの電流及び電圧等の情報を計測部１５０から取得する。また、制御部１５１は、二次側電路Ｗ１２ａの電流及び電圧から演算可能な物理量、例えば電力や力率、電力量等を演算する。以下では、これらの変圧器１２ａに対応する計測情報を「第１電力系統の計測情報」とも称する。なお、本実施形態の「計測情報」には、計測部１５０を通じて実際に計測される電流及び電圧等に限らず、それらの物理量に基づいて制御部１５１により演算される電力等の演算値も含む。
【００２５】
また、制御部１５１は、二次側電路Ｗ１２ｂの電流及び電圧等の情報を計測部１５０から取得する。さらに、制御部１５１は、二次側電路Ｗ１２ｂの電流及び電圧から演算可能な物理量、例えば電力や力率、電力量等を演算する。以下では、これらの変圧器１２ｂに対応する計測情報を「第２電力系統の計測情報」とも称する。
【００２６】
さらに、制御部１５１は、温度センサ１５２の出力信号に基づいてモニタ装置１５の周辺の温度の情報を取得する。
制御部１５１は、以上のようにして取得又は演算される計測情報を点検者のタッチ操作に基づいてタッチパネル１５３に表示する等、タッチパネル１５３の各種制御を統括的に実行する。
【００２７】
次に、タッチパネル１５３について具体的に説明する。
図３に示されるように、タッチパネル１５３は、正面視において略直方体状に形成されている。以下では、タッチパネル１５３の長手方向を「Ｘ軸方向」と称し、タッチパネル１５３の短手方向を「Ｙ軸方向」と称する。本実施形態では、Ｘ軸方向が水平方向であり、Ｙ軸方向が鉛直方向である。また、Ｘ軸方向のうちの一方向を「Ｘ１方向」と称し、その他方向を「Ｘ２方向」と称する。さらに、Ｙ軸方向のうちの一方向を「Ｙ１方向」と称し、その他方向を「Ｙ２方向」と称する。本実施形態では、Ｘ軸方向が所定方向に相当し、Ｙ軸方向が、所定方向に直交する方向に相当する。
【００２８】
タッチパネル１５３には、ステータス表示領域Ａ１０と、第１表示領域Ａ１１と、第２表示領域Ａ１２とが設けられている。表示領域Ａ１１，Ａ１２は、タッチパネル１５３においてＸ軸方向に並べて設けられている。ステータス表示領域Ａ１０は、表示領域Ａ１１，Ａ１２のＹ軸方向の上方に設けられている。
【００２９】
第１表示領域Ａ１１には、電力系統表示部Ｎ１１、及び計測情報表示部Ｍ１１が設けられている。
電力系統表示部Ｎ１１には、第１表示領域Ａ１１に表示されている情報に対応する電力系統の名称が表示される。本実施形態では、第１電力系統に対して「電灯１」の名称が予め付与されており、第２電力系統に対して「電灯２」の名称が予め付与されている。したがって、電力系統表示部Ｎ１１には、「電灯１」及び「電灯２」のいずれか一方の名称が表示される。例えば、図３に示されるように、電力系統表示部Ｎ１１に「電灯１」が表示されている場合には、第１表示領域Ａ１１に表示されている情報は、第１電力系統に対応するものであることを示す。
【００３０】
計測情報表示部Ｍ１１には、電力系統表示部Ｎ１１に表示されている電力系統の複数の計測情報のうちのいずれか一つの計測情報の現在値が表示される。本実施形態のタッチパネル１５３では、第１電力系統の計測情報として、第１電力系統の電圧、電流、電力、力率、及び電力量が表示可能となっており、第２電力系統の計測情報として、第２電力系統の電圧、電流、電力、力率、及び電力量が表示可能となっている。本実施形態では、これらの情報が、キュービクル１０に関連する複数の情報に相当する。図３では、計測情報表示部Ｍ１１に第１電力系統のＸ相電流、Ｎ相電流、及びＹ相電流が表示されている場合を例示している。
【００３１】
第１表示領域Ａ１１の下方には、項目アイコンＬ１１が設けられている。項目アイコンＬ１１は、計測情報表示部Ｍ１１に表示されている情報を変更する際に操作する部分である。具体的には、タッチパネル１５３において項目アイコンＬ１１をタップ操作すると、図４に示されるような計測情報選択画面が表示される。計測情報選択画面には、電力系統表示部Ｎ１１に表示されている電力系統に対応する複数の計測情報のアイコンが表示される。この計測情報選択画面において任意の計測情報のアイコンをタップ操作して選択することにより、選択された計測情報を計測情報表示部Ｍ１１に表示させることができる。
【００３２】
図３に示されるように、第２表示領域Ａ１２には、第１表示領域Ａ１１と同様の電力系統表示部Ｎ１２、及び計測情報表示部Ｍ１２が設けられている。第２表示領域Ａ１２には、第１表示領域Ａ１１と同一又は異なる計測情報を表示することが可能である。また、第２表示領域Ａ１２の下方には、第１表示領域Ａ１１の下方に設けられる項目アイコンＬ１１と同様の項目アイコンＬ１２が設けられている。
【００３３】
ステータス表示領域Ａ１０には、設定アイコンＩ１０、履歴アイコンＩ１１、モニタ装置１５の周辺の温度、並びに現在の日付及び時刻がＹ軸方向に並べて表示されている。設定アイコンＩ１０は、モニタ装置１５の各種設定を行う際に操作する部分である。履歴アイコンＩ１１は、表示領域Ａ１１，Ａ１２のそれぞれの計測情報表示部Ｍ１１，Ｍ１２に表示されている計測情報の過去の履歴を閲覧する際に操作する部分である。
【００３４】
また、タッチパネル１５３では、表示領域Ａ１１，Ａ１２にそれぞれ表示されている電力系統及び計測情報をフリック操作により変更することが可能となっている。
次に、図５を参照して、タッチパネル１５３がフリック操作された際に制御部１５１により実行される処理の手順について具体的に説明する。
【００３５】
図５に示されるように、制御部１５１は、タッチパネル１５３に対するフリック操作を検出した場合には、まず、ステップＳ１０の処理として、第１表示領域Ａ１１に対してフリック操作が行われたか否かを判断する。制御部１５１は、ステップＳ１０の処理で肯定判断した場合には、すなわち第１表示領域Ａ１１に対してフリック操作が行われたと判断した場合には、ステップＳ１１の処理として、そのフリック操作の方向がＸ軸方向であるか否かを判断する。
【００３６】
制御部１５１は、ステップＳ１１の処理で肯定判断した場合には、すなわち第１表示領域Ａ１１におけるフリック操作の方向がＸ軸方向である場合には、ステップＳ１２の処理として、第１表示領域Ａ１１の計測情報表示部Ｍ１１に表示されている電力系統の計測情報を同一の電力系統の別の計測情報に切り替える。
【００３７】
具体的には、本実施形態のモニタ装置１５では、計測情報表示部Ｍ１１における計測情報の表示順序が「・・・→電圧→電流→電力→力率→電力量→電圧→・・・」のように予め定められている。制御部１５１は、フリック操作の方向がＸ１方向である場合には、矢印の順序で計測情報を切り替える。これに対し、制御部１５１は、フリック操作の方向がＸ２方向である場合には、矢印の順序とは逆の順序で計測情報を切り替える。例えば、図３に示されるように計測情報表示部Ｍ１１に第１電力系統の電流の情報が表示されている状態でタッチパネル１５３に対してＸ１方向にフリック操作が行われた場合、制御部１５１は、図６に示されるように、計測情報表示部Ｍ１１に表示されている計測情報を第１電力系統の電力の情報に切り替える。また、図３に示されるように計測情報表示部Ｍ１１に第１電力系統の電流の情報が表示されている状態でタッチパネル１５３に対してＸ２方向にフリック操作が行われた場合、制御部１５１は、図７に示されるように、計測情報表示部Ｍ１１に表示されている計測情報を第１電力系統の電圧の情報に切り替える。
【００３８】
図５に示されるように、制御部１５１は、ステップＳ１２の処理を実行した後、図５に示される一連の処理を終了する。
一方、制御部１５１は、ステップＳ１１の処理で否定判断した場合には、ステップＳ１３の処理として、第１表示領域Ａ１１におけるフリック操作の方向がＹ軸方向であるか否かを判断する。制御部１５１は、ステップＳ１３の処理で肯定判断した場合には、すなわちフリック操作の方向がＹ軸方向である場合には、ステップＳ１４の処理として、第１表示領域Ａ１１に表示されている電力系統を切り替える。例えば、図３に示されるように第１表示領域Ａ１１に第１電力系統の計測情報が表示されている状態でタッチパネル１５３に対してＹ軸方向にフリック操作が行われた場合、制御部１５１は、図８に示されるように、第１表示領域Ａ１１に第２電力系統の計測情報を表示する。
【００３９】
図５に示されるように、制御部１５１は、ステップＳ１４の処理を実行した後、図５に示される一連の処理を終了する。
制御部１５１は、ステップＳ１３の処理で否定判断した場合、すなわち第１表示領域Ａ１１におけるフリック操作の方向がＸ軸方向及びＹ軸方向のいずれの方向であるかを判断することができなかった場合には、図５に示される一連の処理を終了する。
【００４０】
制御部１５１は、ステップＳ１０の処理で否定判断した場合には、ステップＳ１５の処理として、第２表示領域Ａ１２に対してフリック操作が行われたか否かを判断する。制御部１５１は、ステップＳ１５の処理で肯定判断した場合には、すなわち第２表示領域Ａ１２に対してフリック操作が行われたと判断した場合には、上記の第１表示領域Ａ１１に対応するステップＳ１１〜Ｓ１４の処理を第２表示領域Ａ１２に適用したステップＳ１６〜Ｓ１９の処理を実行する。
【００４１】
すなわち、制御部１５１は、ステップＳ１５の処理で肯定判断した場合には、ステップＳ１６の処理として、第２表示領域Ａ１２におけるフリック操作の方向がＸ軸方向であるか否かを判断する。制御部１５１は、ステップＳ１６の処理で肯定判断した場合には、すなわち第２表示領域Ａ１２におけるフリック操作の方向がＸ軸方向である場合には、ステップＳ１７の処理として、第２表示領域Ａ１２の計測情報表示部Ｍ１２に表示されている計測情報を切り替えた後、図５に示される一連の処理を終了する。
【００４２】
一方、制御部１５１は、ステップＳ１６の処理で否定判断した場合には、ステップＳ１８の処理として、第２表示領域Ａ１２におけるフリック操作の方向がＹ軸方向であるか否かを判断する。制御部１５１は、ステップＳ１８の処理で肯定判断した場合には、すなわちフリック操作の方向がＹ軸方向である場合には、ステップＳ１９の処理として、第２表示領域Ａ１２に表示されている電力系統を切り替えた後、図５に示される一連の処理を終了する。
【００４３】
制御部１５１は、ステップＳ１８の処理で否定判断した場合、すなわち第２表示領域Ａ１２におけるフリック操作の方向がＸ軸方向及びＹ軸方向のいずれの方向であるかを判断することができなかった場合には、図５に示される一連の処理を終了する。
制御部１５１は、ステップＳ１５の処理で否定判断した場合には、すなわちタッチパネル１５３に対するフリック操作が第１表示領域Ａ１１及び第２表示領域Ａ１２のいずれの領域で行われたかを判断することができなかった場合には、図５に示される一連の処理を終了する。
【００４４】
以上説明した本実施形態のキュービクル１０のモニタ装置１５によれば、以下の（１）〜（４）に示される作用及び効果を得ることができる。
（１）キュービクル１０に関連する複数の情報を点検者が確認できるようにするためには、例えば図９に示されるように、各情報を表示するための複数のメータパネル３０〜３７を設置するためのスペースＰ１０を計器取付板２３に設ける必要がある。このような構造の場合、計器取付板２３には、複数のメータパネル３０〜３７を設置するためのスペース、すなわち図９に二点鎖線で囲まれる設置スペースＰ１０が必要となるため、計器取付板２３に大きなスペースを確保する必要がある。この点、本実施形態のモニタ装置１５では、キュービクル１０に関連する複数の情報をタッチパネル１５３に表示することができるため、図１０に示されるように、計器取付板２３には、モニタ装置１５を設置するためのスペースＰ２０を確保するだけでよい。よって、図９に示されるように複数のメータパネル３０〜３７を計器取付板２３に設ける場合と比較すると、計器取付板２３における設置スペースを小さくすることができる。
【００４５】
（２）タッチパネル１５３の表示領域Ａ１１，Ａ１２には、キュービクル１０に関連する情報が分割してそれぞれ表示される。制御部１５１は、表示領域Ａ１１，Ａ１２のうちのいずれか一方の所定の表示領域に対してフリック操作が行われた場合、所定の表示領域に表示されている情報のみを切り替え、それとは別の表示領域に表示される情報を切り替えない。具体的には、制御部１５１は、第１表示領域Ａ１１に対してフリック操作が行われた場合には、第１表示領域Ａ１１に表示されている情報のみを切り替える。また、制御部１５１は、第２表示領域Ａ１２に対してフリック操作が行われた場合には、第２表示領域Ａ１２に表示されている情報のみを切り替える。これにより、点検者は、キュービクル１０に関連する複数の情報のうち、自身の望む任意の複数の情報をタッチパネル１５３に選択的に表示させることができる。したがって、操作性を向上させることができる。
【００４６】
（３）表示領域Ａ１１，Ａ１２に表示されている情報を切り替えるための操作として、表示領域Ａ１１，Ａ１２に対するフリック操作を用いることとした。これにより、フリック操作という最小限の操作で表示領域Ａ１１，Ａ１２に表示されている情報を変更することができるため、利便性を向上させることができる。
【００４７】
（４）制御部１５１は、表示領域Ａ１１，Ａ１２のいずれか一方を所定の表示領域とするとき、所定の表示領域に対してＸ軸方向にフリック操作が行われた場合には、所定の表示領域に表示されている所定の電力系統の計測情報を所定の電力系統の別の計測情報に切り替える。本実施形態では、この計測情報の表示の切り替えが、第１態様での表示情報の切り替えに相当する。また、制御部１５１は、所定の表示領域に対してＹ軸方向にフリック操作が行われた場合には、所定の表示領域に表示されている所定の電力系統の計測情報を別の電力系統の計測情報に切り替える。本実施形態では、この電力系統の表示の切り替えが、第２態様での表示情報の切り替えに相当する。このような構成によれば、所定の表示領域に対するＸ軸方向へのフリック操作及びＹ軸方向へのフリック操作を点検者が選択的に実行することにより、所定の表示領域に表示されている情報を異なる態様で切り替えることができる。よって、利便性を向上させることができる。
【００４８】
具体的には、図３に示されるように、第１電力系統及び第２電力系統のそれぞれに関して同一の計測情報を並べて表示すれば、異なる電力系統のそれぞれの計測情報の比較が容易となる。また、図８に示されるように、同一の電力系統に関して２つの異なる計測情報を並べて表示すれば、保守管理し易い見せ方を実現することもできる。例えば、同一の電力系統の力率と電力とを並べて表示すれば、電気の基本料金に関わる力率とその容量とがどの程度必要かを一目で確認することが可能である。
【００４９】
なお、上記実施形態は、以下の形態にて実施することもできる。
・タッチパネル１５３に表示される情報は、適宜変更可能である。例えば第１電力系統及び第２電力系統のそれぞれの異常情報等をタッチパネル１５３に表示してもよい。この場合、第１電力系統及び第２電力系統のそれぞれの異常情報が、キュービクル１０に関連する情報に相当する。
【００５０】
・表示領域Ａ１１，Ａ１２に対する操作としては、フリック操作に限らず、スワイプ操作等、タッチパネル１５３において実行可能な各種操作を採用することができる。
・キュービクル１０に設けられる電力系統の数は３つ以上であってもよい。また、キュービクル１０に設けられる電力系統の数に合わせて、モニタ装置１５に表示可能な電力系統の数を適宜変更してもよい。
【００５１】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００５２】
Ａ１１，Ａ１２：表示領域
１０：キュービクル
１５：モニタ装置
１５１：制御部
１５３：タッチパネル
【図１】
2019201466.tif 000003
【図２】
2019201466.tif 000004
【図３】
2019201466.tif 000005
【図４】
2019201466.tif 000006
【図５】
2019201466.tif 000007
【図６】
2019201466.tif 000008
【図７】
2019201466.tif 000009
【図８】
2019201466.tif 000010
【図９】
2019201466.tif 000011
【図１０】
2019201466.tif 000012